(57)【要約】【課題】フック部材が邪魔とならず、シート材の変形や傷付きを無くして、シート材の剥離動作を円滑に行い得ることができる自己粘着式フックを提供する。【解決手段】表面にフック部材２が固定されたシート材３の裏面を縦面に対し自己粘着により離着自在に接着する自己粘着式フック１を前提とし、シート材３を、フック部材２よりも大きな表面積に形成している。シート材３の下端に、このシート材３を縦面から剥離する際に当該シート材３の剥離を誘起する動作の起点となるように下方へ延びる延設片３１を一体的に設けている。【選択図】図１
0003183360.tif 000002
【実用新案登録請求の範囲】
【請求項１】
表面にフック部材が固定されたシート材の裏面を縦面に対し自己粘着により離着自在に接着する自己粘着式フックであって、
前記シート材は、前記フック部材よりも大きな表面積に形成されているとともに、
前記シート材の下端には、このシート材を縦面から剥離する際に当該シート材の剥離を誘起する動作の起点となるように下方へ延びる延設片が一体的に設けられていることを特徴とする自己粘着式フック。
【請求項２】
前記延設片は、先端に近付くに従い先細り状に形成されている請求項１に記載の自己粘着式フック。
【請求項３】
前記延設片の基端は、前記シート材よりも幅方向の寸法が小さく設定されているとともに、
前記シート材の下部は、その下端が前記延設片の基端に連続するように徐々に幅方向の寸法を減少させている請求項１又は請求項２に記載の自己粘着式フック。
【請求項４】
前記延設片の先端部は、その先端を多方向へ分岐させる分岐片を備えている請求項１〜請求項３のいずれか１つに記載の自己粘着式フック。
【請求項５】
前記シート材は、前記フック部材と同色又は同系統の色である請求項１〜請求項４のいずれか１つに記載の自己粘着式フック。
【請求項６】
前記シート材には、模様又は絵文字が描かれている請求項１〜請求項５のいずれか１つに記載の自己粘着式フック。
【考案の詳細な説明】
【技術分野】
【０００１】
本考案は、表面にフック部材が固定された薄膜層の裏面を縦面に対し自己粘着により接着する自己粘着式フックに関する。
【背景技術】
【０００２】
従来より、この種の自己粘着式フックとして、薄膜層の裏面の自己粘着により、鏡面のような凹凸のない縦面に対し離着自在に接着されるようにしたものが知られている（特許文献１参照）
【０００３】
また、薄膜層が薄いシート材により成形された自己粘着式フックもあり、このものでは、縦面に対する粘着性を確保する上で、シート材がフック部材よりも大きな表面積に形成されている。
【先行技術文献】
【特許文献】
【０００４】
【特許文献１】特公平７−２８７８９号公報
【考案の概要】
【考案が解決しようとする課題】
【０００５】
ところで、自己粘着式フックを縦面から剥離する場合、シート材が矩形状のものであれば、シート材の剥離を誘起する動作を角部から行うのが一般的である。
【０００６】
しかし、シート材の表面積の大きさによっては、角部から剥離し始めた途端にフック部材に剥離動作が阻まれ、フック部材が邪魔となってしまうことがある。また、角部からシート材を剥離し始めても、略９０°の広い範囲に亘ってシート材の剥離動作が伝播し難いものとなる。このため、角部からシート材を剥離し始める剥離動作では、シート材の剥離を誘起する動作の起点とはなり得ず、シート材に無理な力が掛かって変形したり傷が付いたりするおそれがある。これでは、シート材の剥離動作を円滑に行い得るものであるとはいえない。
【０００７】
本考案は、かかる点に鑑みてなされたものであり、その目的とするところは、フック部材が邪魔とならず、シート材の変形や傷付きを無くして、シート材の剥離動作を円滑に行い得ることができる自己粘着式フックを提供することにある。
【課題を解決するための手段】
【０００８】
上記目的を達成するため、本考案では、表面にフック部材が固定されたシート材の裏面を縦面に対し自己粘着により離着自在に接着する自己粘着式フックを前提とする。更に、前記シート材は、前記フック部材よりも大きな表面積に形成されている。そして、前記シート材の下端に、このシート材を縦面から剥離する際に当該シート材の剥離を誘起する動作の起点となるように下方へ延びる延設片が一体的に設けられていることを特徴としている。
【０００９】
また、前記延設片は、先端に近付くに従い先細り状に形成されていることが好ましい。
【００１０】
また、前記延設片の基端は、前記シート材よりも幅方向の寸法が小さく設定されているとともに、前記シート材の下部は、その下端が前記延設片の基端に連続するように徐々に幅方向の寸法を減少させていることが好ましい。
【００１１】
また、前記延設片の先端部は、その先端を多方向へ分岐させる分岐片を備えていることが好ましい。
【００１２】
また、前記シート材は、前記フック部材と同色又は同系統の色であることが好ましい。
【００１３】
更に、前記シート材に、模様又は絵文字が描かれていることが好ましい。
【考案の効果】
【００１４】
以上、要するに、シート材の下端に下方へ延びる延設片を一体的に設け、この延設片を、シート材を縦面から剥離する際に当該シート材の剥離を誘起する動作の起点とすることで、剥離し始めた途端にフック部材に剥離動作が阻まれることがない。これにより、延設片の先端から剥離し始めた剥離動作がシート材の全体に伝播し易いものとなり、フック部材が邪魔とならず、シート材の変形や傷付きを無くして、シート材の剥離動作を円滑に行うことができる。
【００１５】
また、延設片を先端に近付くに従い先細り状に形成することで、延設片の先端に指が掛かり易くなり、シート材の剥離を誘起する動作をスムーズに開始することができる。
【００１６】
また、シート材よりも幅方向の寸法が小さい延設片の基端に下端が連続するようにシート材の下部の幅方向の寸法を徐々に減少させることで、延設片の先端から剥離し始めた剥離動作がシート材の下部へとスムーズに伝播し、シート材の剥離動作をより円滑に行うことができる。
【００１７】
また、延設片の先端部に、その先端を多方向へ分岐させる分岐片を備えることで、延設片の先端部に多方向から指が掛かり易くなり、シート材の剥離を誘起する動作をよりスムーズに開始することができる。
【００１８】
また、シート材がフック部材と同色又は同系統の色であることで、フック部材よりも大きな表面積のシート材にフック部材との一体感を持たせることができる。
【００１９】
更に、シート材に模様又は絵文字を描くことで、バリエーションに富んだ自己粘着式フックを提供することができる。
【図面の簡単な説明】
【００２０】
【図１】本考案の実施の形態に係る自己粘着式フックの斜視図である。
【図２】図１の自己粘着式フックの正面図である。
【図３】図２のＡ−Ａ線における断面図である。
【図４】図１の自己粘着式フックを縦面に貼付する際の作業手順を説明する説明図である。
【図５】図４の自己粘着式フックを縦面に貼付する際に密着させる作業手順を説明する説明図である。
【図６】図５の自己粘着式フックを縦面から剥離する際の作業手順を説明する説明図である。
【図７】フック先端のかえし用の突起の変形例を示すフック先端付近の斜視図である。
【図８】（ａ）〜（ｅ）はシート材の延設片の変形例をそれぞれ示す自己粘着式フックの正面図である。
【考案を実施するための形態】
【００２１】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２２】
図１は本考案の実施の形態に係る自己粘着式フックの斜視図、図２は自己粘着式フックの正面図、図３は図２のＡ−Ａ線における断面図をそれぞれ示している。
【００２３】
図１〜図３において、１は本考案の実施の形態に係る自己粘着式フックであって、この自己粘着式フック１は、比較的軽量な空のバッグの取手やキーホルダなどを係止するフック部材２と、このフック部材２が表面に取り付けられたシート材３とを備えている。フック部材２は、垂直面と平行な板状のベース基板２１と、このベース基板２１の下端中央位置から斜め前方上向きの傾斜角度（例えば６０°）で延びるフック片２２とを備えている。ベース基板２１とフック片２２とは、ＡＢＳ樹脂を素材にして一体成形されている。
【００２４】
また、フック片２２の先端には、フック部材２に係止した空のバッグの取手やキーホルダなどの不慮の離脱を防止するかえし用の突起２３が一体的に設けられている。この突起２３は、断面略半円弧状に形成され、フック片２２の先端においてその幅方向全域に亘って突出している。
【００２５】
シート材３は、飽和ポリエステル樹脂を素材にして成形されている。このシート材３の裏面は、ポリウレタンを溶かした糊（図示せず）が塗布されて自己粘着性を有し、これによって、鏡面のような凹凸のない縦面５に対し離着自在に繰り返し接着される。シート材３の裏面には、剥離紙４が接着されている。この剥離紙４は、紙製のものであり、シート材３の裏面に接着される面にポリエチレン製の膜（図示せず）が貼り付けられてシート材３の裏面に対する剥離性を高めている。そして、フック部材２及びシート材３は、それぞれの素材に混入された白色の顔料によって共に同色の白色で統一されている。この場合、シート材３の裏面に汚れやゴミなどが付着したときは、水などで洗浄することで粘着性が復活する。
【００２６】
シート材３は、フック部材２のベース基板２１よりも大きな表面積に形成され、ベース基板２１の外方に位置する表面側の部分に水性マジックによって文字や絵柄を描いたり消去したりすることが可能となっている。また、フック部材２は、シート材３の表面の下部中央に変性シリコーン樹脂系弾性接着剤（図示せず）を用いて強固に接着されている。そして、シート材３の下端中央位置には、このシート材３を縦面５から剥離する際に当該シート材３の剥離を誘起する動作の起点となるように下方へ延びる延設片３１が一体的に設けられている。
【００２７】
延設片３１は、先端（下端）に近付くに従い先細り状となるように左右両辺間の角度が略４０°弱に設定されている。この延設片３１の先端は、指が掛かり易くなるように略半円弧状に形成されている。延設片３１の基端（上端）は、シート材３よりも幅方向の寸法が小さく設定されている。更に、シート材３の左右両辺の下部は、左右同じ曲率の曲面に形成され、その下端が延設片３１の基端に連続するように下端に近付くに従い徐々に幅方向の寸法を減少させている。
【００２８】
ここで、自己粘着式フック１を縦面５に対し貼付又は剥離する場合の作業手順について説明する。
【００２９】
図４は自己粘着式フック１を縦面５に貼付する際の作業手順を説明する説明図、図５は自己粘着式フック１を縦面５に貼付する際に密着させる作業手順を説明する説明図、図６は自己粘着式フック１を縦面５から剥離する際の作業手順を説明する説明図をそれぞれ示している。
【００３０】
まず、自己粘着式フック１を縦面５に貼付する場合には、図４に示すように、一方の手でフック部材２のフック片２２を把持した状態で、他方の手で剥離紙４をシート材３の裏面から剥離する。このとき、シート材３の裏面には極力触れないように注意する。
【００３１】
それから、図５に示すように、縦面５に対しフック部材２のベース基板２１を押し付け、このベース基板２１を中心にして外方（図５に一点鎖線矢印で示す方向）へ空気を抜くようにシート材３を縦面５に押し付けながら密着させて、自己粘着式フック１を縦面５に貼付する。
【００３２】
一方、自己粘着式フック１を縦面５から剥離する場合には、図６に示すように、一方の手でシート材３の延設片３１の先端を剥がした状態で、他方の手でフック部材２のフック片２２を把持し、延設片３１の先端に過分な力を加えずにフック片２２と共に同じ方向に引き寄せる。このとき、延設片３１の先端を剥離し始めた途端にフック部材２のベース基板２１に剥離動作が阻まれることがなく、延設片３１の先端を剥がす動作が、シート材３の剥離を誘起する動作の起点となる。これにより、延設片３１の先端から剥離し始めた剥離動作が、フック片２２を引き寄せる動作と相俟ってシート材３の全体に伝播し易いものとなり、フック部材２が邪魔とならず、シート材３の変形や傷付きを無くして、シート材３の剥離動作を円滑に行うことができる。
【００３３】
しかも、延設片３１が先端に近付くに従い先細り状に形成されているので、延設片３１の先端に指が掛かり易くなる。更に、シート材３よりも幅方向の寸法が小さい延設片３１の基端に下端が連続するようにシート材３の下部の幅方向の寸法が徐々に減少しているので、延設片３１の先端から剥離し始めた剥離動作がシート材３の下部へとスムーズに伝播する。これにより、シート材３の剥離を誘起する動作をスムーズに開始できる上、シート材３の剥離動作をより円滑に行える。
【００３４】
更に、フック部材２及びシート材３が共に白色で統一されているので、フック部材２よりも大きな表面積のシート材３にフック部材２との一体感を持たせることができる。
【００３５】
なお、本考案は、前記実施の形態に限定されるものではなく、その他種々の変形例を包含している。例えば、前記実施の形態では、断面略半円弧状の突起２３をフック片２２の先端の幅方向全域に亘って突出させたが、突起は、これに限定されるものではなく、図７に示すように、フック片２２の先端の幅方向中央位置において略半円球状に一体的に突出する突起２４であってもよい。
【００３６】
また、前記実施の形態では、先端に近付くに従い先細り状となるように延設片３１の左右両辺間の角度を略４０°弱に設定し、シート材３の左右両辺の下部を共に同じ曲率の曲面に形成して下端に近付くに従い徐々に幅方向の寸法を減少させたが、これに限定されるものではない。例えば、図８の（ａ）に示すように、先端に近付くに従い先細り状となるように延設片３２の左右両辺間の角度が略２２〜２３°程度に設定されていてもよく、延設片の左右両辺間の角度は任意に設定可能である。
また、図８の（ｂ）に示すように、左右両辺間の角度を略２２〜２３°程度に設定した延設片３３の先端部に、その先端を左右両方向へも分岐させる分岐片３３１，３３１が設けられていてもよい。更に、図８の（ｃ）に示すように、左右両辺間の角度を略４０°弱に設定した延設片３４の先端部に、その先端を左右両方向へも分岐させる分岐片３４１，３４１が設けられていてもよい。これらの場合には、分岐片３３１，３４１によって延設片３３，３４の先端部に左右両方向を含めて多方向から指が掛かり易くなり、シート材３の剥離を誘起する動作をよりスムーズに開始することができる。
また、図８の（ｄ）に示すように、シート材３の左右両辺の下部から先端に近付くに従い先細り状となるように連続する円弧をつなぎ合わせた延設片３５であってもよい。この場合には、延設片３５の先端から剥離し始めた剥離動作をシート材３の下部へとよりスムーズに伝播させることができる。
更に、図８の（ｅ）に示すように、シート材３の左右両辺の下部から先端に近付くに従い先細り状となるようにシート材３の左右両辺の下部に対しそれぞれ単一の円弧によって連続させる延設片３６であってもよい。この場合も、延設片３６の先端から剥離し始めた剥離動作をシート材３の下部へとよりスムーズに伝播させることができる。
【００３７】
また、前記実施の形態では、フック部材２及びシート材３のそれぞれの素材に混入した白色の顔料によってフック部材２及びシート材３を白色で統一したが、これに限定されるものではなく、同系統の色はもちろんのこと、何色であってもよい。例えば、フック部材及びシート材のそれぞれの素材に混入した添加剤によってフック部材及びシート材を共に透明で統一してもよい。その場合、剥離紙もポリエチレン・テレフタレートにより透明で成形すればよいが、シート材に混入した添加剤によって裏面の粘着性が高くなることがあるため、シート材の裏面に接着される剥離紙の面にポリテトラフルオロエチレン（４フッ化樹脂）を塗膜するなどしてシート材の裏面に対する剥離性を高める必要がある。
【００３８】
更に、フック部材及びシート材の少なくとも一方に、模様又は絵文字が描かれていてもよく、その場合には、バリエーションに富んだ自己粘着式フックを提供することができる。
【符号の説明】
【００３９】
１          自己粘着式フック
１１〜１５  自己粘着式フック
２          フック部材
３          シート材
３１〜３６  延設片
３３１，３４１  分岐片
５          縦面
【図１】
0003183360.tif 000003
【図２】
0003183360.tif 000004
【図３】
0003183360.tif 000005
【図４】
0003183360.tif 000006
【図５】
0003183360.tif 000007
【図６】
0003183360.tif 000008
【図７】
0003183360.tif 000009
【図８】
0003183360.tif 000010